(57)【特許請求の範囲】
【請求項１】
上下方向に延在し且つ下端が下方に開口する下側筒状部を有する雨どいと、
前記雨どいの前記下側筒状部の下方に配置された集水枡と、
前記集水枡の開口部を開閉可能な蓋と
を有する水排出機構であって、
前記水排出機構は、前記雨どいから前記集水枡に落ちる水の水はねを防止すると共に、前記集水枡から前記雨どいへの水の逆流を防止する水はね逆流防止カバーをさらに備え、
前記水はね逆流防止カバーは、
前記雨どいの前記下側筒状部を内部に収容可能である筒状本体部と、
前記筒状本体部の下方に配置され、前記筒状本体部に浮力を付与する浮力部と
を備え、
前記集水枡が無水状態で前記水はね逆流防止カバーの底部が前記集水枡の底部に接している場合、前記筒状本体部の上縁は、前記雨どいの前記下側筒状部の下端と一致するか、あるいは、前記下側筒状部の少なくとも一部を覆うものであり、
前記水はね逆流防止カバーは、
前記水はね逆流防止カバーを水に入れたとき、水面よりも上側に位置する下方排水開口部空間を形成する
ことを特徴とする水排出機構。
【請求項２】
請求項１に記載の水排出機構において、
前記水排出機構は、前記筒状本体部の下部から下方に延在して前記浮力部を支持する脚部をさらに備え、
前記下方排水開口部空間は、前記脚部と前記浮力部により形成される
ことを特徴とする水排出機構。
【請求項３】
請求項１に記載の水排出機構において、
前記筒状本体部は、少なくとも一部が水よりも比重が小さい部分を有することで前記浮力部を形成し、
さらに、前記筒状本体部の下部には、前記下方排水開口部空間を構成する切欠きが設けられる
ことを特徴とする水排出機構。
【請求項４】
雨どいから集水枡に落ちる水の水はねを防止すると共に、前記集水枡から前記雨どいへの水の逆流を防止する水はね逆流防止カバーであって、
前記水はね逆流防止カバーは、
前記雨どいの下側筒状部を内部に収容可能である筒状本体部と、
前記筒状本体部の下方に配置され、前記筒状本体部に浮力を付与する浮力部と
を備え、
前記水はね逆流防止カバーを水に入れたとき、水面よりも上側に位置する下方排水開口部空間を形成する
ことを特徴とする水はね逆流防止カバー。
【発明の詳細な説明】
【技術分野】
【０００１】
本発明は、屋根に降った雨水等を排出する水排出機構等に関し、より具体的には、雨どいから集水枡に落ちる水等の水はね及び逆流を防止する水排出機構等に関する。
【背景技術】
【０００２】
従来、屋根に降った雨水を排出するために雨どい、集水枡等を備える水排出機構が用いられてきた。図６（Ａ）及び図６（Ｂ）は、従来の水放出機構の第１例及び第２例を示す。図６（Ａ）の水排出機構６００では、雨どい６２１を通過した水は、コンクリート製の蓋６５１の開口部６６１を介して集水枡６４１に排出される。同様に、図６（Ｂ）の水排出機構６０１では、雨どい６２２を通過した水は、格子状の蓋６５２の開口部６６２を介して集水枡６４２に排出される。
【０００３】
また、水排出機構に関連する技術として、次のような先行技術文献がある。すなわち、特許文献１には、外部からの排水が流入する排水桝中に配設される排水逆流防止装置であって、排水の水位に係る浮力により上下する弾性体からなる浮子と、該浮子の外径より若干小さい内径を有し先端部が重力下方に開口する排水管と、前記浮子を前記先端部の下方に位置させる定置装置と、を含んで構成され、前記浮力により浮子が前記排水管の先端部を閉塞することを特徴とする排水逆流防止装置が開示されている。かかる装置によれば、雨水等の排水が排水管に逆流することを防止することができるものとされている。
【０００４】
また、特許文献２には、建物の屋根に降り注いだ雨水及び／又は風呂，洗面所の雑排水を貯留するための水貯留槽の流入口または流出口に接続されるフロート式止水装置であって、前記水貯留槽に貯留されている前記水の水位が所定の高さ位置まで上昇すると、フロートの浮力により流路を塞いで前記水の流れを停止し、前記水の水位が下がると、前記フロートの自重により前記流路を開けて前記水を流すようにしたことを特徴とするフロート式止水装置が開示されている。かかる装置によれば、雨水等を貯留するための水貯留槽の水位が所定の高さ位置になると、雨水等の流れを自動的に停止することができるものとされている。
【先行技術文献】
【特許文献】
【０００５】
【特許文献１】実開平０６−０６７５８８号公報
【特許文献２】特開２００２−０３９４２７号公報
【発明の概要】
【発明が解決しようとする課題】
【０００６】
上記のように、特許文献１では、浮力により浮子が排水管の先端部を閉塞することで排水が排水管に逆流することを防止する（例えば、請求項１、［０００６］、［０００７］を参照）。同様に、特許文献２では、水貯留槽に貯留されている水の水位が所定の高さ位置まで上昇すると、フロートの浮力により流路を塞いで水の流れを停止することで、雨水等の流れを自動的に停止する（例えば、請求項１、［０００７］、［０００８］を参照）。しかしながら、図６（Ａ）及び図６（Ｂ）のように、雨どい６２１、６２２の下端が蓋６５１、６５２よりも上方に位置する場合、特許文献１及び特許文献２のような構成では、逆流を防止することができない。
【０００７】
さらに、従来例として示した図６（Ａ）及び図６（Ｂ）のような構成では、雨どい６２１、６２２から集水枡６４１、６４２に向かって排出された水が、集水枡６４１、６４２内に溜まった水に当たった際、水はねが起こる場合がある。このような水はねが起こった場合、雨どい６２１、６２２周辺の壁等に雨水や泥を含んだ水がかかることになり、壁等を汚してしまう。
【０００８】
本発明は、上記のような課題を考慮したものであり、周囲への水はねを防止しつつ雨どいへの水の逆流を防止する水排出機構及び水はね逆流防止カバーを提供することを目的とする。
【課題を解決するための手段】
【０００９】
そこで、本発明の一実施形態にかかる水排出機構は、上下方向に延在し且つ下端が下方に開口する下側筒状部を有する雨どいと、前記雨どいの前記下側筒状部の下方に配置された集水枡と、前記集水枡の開口部を開閉可能な蓋とを有する水排出機構であって、前記水排出機構は、前記雨どいから前記集水枡に落ちる水の水はねを防止すると共に、前記集水枡から前記雨どいへの水の逆流を防止する水はね逆流防止カバーをさらに備え、前記水はね逆流防止カバーは、前記雨どいの前記下側筒状部を内部に収容可能である筒状本体部と、前記筒状本体部の下方に配置され、前記筒状本体部に浮力を付与する浮力部とを備え、前記集水枡が無水状態で前記水はね逆流防止カバーの底部が前記集水枡の底部に接している場合、前記筒状本体部の上縁は、前記雨どいの前記下側筒状部の下端と一致するか、あるいは、前記下側筒状部の少なくとも一部を覆うものであり、前記水はね逆流防止カバーは、前記水はね逆流防止カバーを水に入れたとき、水面よりも上側に位置する下方排水開口部空間を形成することを特徴とする。
【００１０】
本発明によれば、集水枡に水がないときであっても、水はね逆流防止カバーの筒状本体部の上縁が雨どいの下側筒状部を覆う。また、集水枡の水位が上がった場合でも、浮力部の作用により筒状本体部が上下動して、集水枡の水位との隙間を維持ないし確保しながら雨どいを覆い続ける。そのため、集水枡における水位にかかわらず、逆流を防止しながら雨どいから集水枡に落ちる水がはねて雨どい近傍の壁等に向かう、いわゆる水はねを防止する。
【００１１】
また、本発明によれば、浮力部の作用により水はね逆流防止カバーの筒状本体部が上下動した場合でも、下方排水開口部空間により筒状本体部内の水を排出し続けることが可能である。従って、集水枡の水位にかかわらず、集水枡から雨どいへの水の逆流を防止可能となる。
【００１２】
前記水排出機構は、前記筒状本体部の下部から下方に延在して前記浮力部を支持する脚部をさらに備えてもよい。また、前記下方排水開口部空間は、前記脚部と前記浮力部により形成されてもよい。これにより、下方排水開口部空間を簡易な構成で形成可能となる。
【００１３】
或いは、前記筒状本体部は、少なくとも一部が水よりも比重が小さい部分を有することで前記浮力部を形成してもよい。また、前記筒状本体部の下部には、前記下方排水開口部空間を構成する切欠き部が設けられてもよい。これにより、少ない部品点数で水はね逆流防止カバーを形成することが可能となる。
【００１４】
本発明に係る水はね逆流防止カバーは、雨どいから集水枡に落ちる水の水はねを防止すると共に、前記集水枡から前記雨どいへの水の逆流を防止する水はね逆流防止カバーであって、前記水はね逆流防止カバーは、前記雨どいの下側筒状部を内部に収容可能である筒状本体部と、前記筒状本体部の下方に配置され、前記筒状本体部に浮力を付与する浮力部とを備え、前記水はね逆流防止カバーを水に入れたとき、水面よりも上側に位置する下方排水開口部空間を形成することを特徴とする。
【発明の効果】
【００１５】
本発明の一実施形態にかかる水排出機構等によれば、例えば、周囲への水はねを防止しつつ雨どいへの水の逆流を防止するという効果を奏する。
【図面の簡単な説明】
【００１６】
【図１】本発明の一実施形態にかかる水排出機構及びその周辺を模式的に説明する説明図である。
【図２】図２（Ａ）、図２（Ｂ）、図２（Ｃ）及び図２（Ｄ）は、本発明の一実施形態において、集水枡内の水位に応じた水はね逆流防止カバーの第１〜第４状態を説明する説明図である。
【図３】図３（Ａ）は、本発明の第１変形例に係る水はね逆流防止カバーの構造を概念的に説明する斜視概念図である。図３（Ｂ）は、本発明の第２変形例に係る水はね逆流防止カバーの構造を概念的に説明する斜視概念図である。図３（Ｃ）は、本発明の第３変形例に係る水はね逆流防止カバーの構造を概念的に説明する斜視概念図である。
【図４】図４（Ａ）は、本発明の第４変形例に係る水はね逆流防止カバーの構造を概念的に説明する斜視概念図である。図４（Ｂ）は、本発明の第５変形例に係る水はね逆流防止カバーの構造を概念的に説明する斜視概念図である。図４（Ｃ）は、本発明の第６変形例に係る水はね逆流防止カバーの構造を概念的に説明する斜視概念図である。
【図５Ａ】本発明の第７変形例に係る水はね逆流防止カバーの筒状本体部を概念的に説明する斜視概念図である。
【図５Ｂ】図５Ｂ（ａ）、図５Ｂ（ｂ）及び図５Ｂ（ｃ）は、第７変形例に係る水はね逆流防止カバーを組み立てる際の第１状態、第２状態及び第３状態をそれぞれ説明する説明図である。
【図６】図６（Ａ）及び図６（Ｂ）は、従来の水排出機構の第１例及び第２例をそれぞれ説明する説明図である。
【発明を実施するための形態】
【００１７】
＜一実施形態＞
［全体構成］
図１は、本発明の一実施形態にかかる水排出機構１０００及びその周辺を模式的に示す。図１に示すように、水排出機構１０００は、雨どい１０１０と、集水枡１０２０と、排水管１０２１と、蓋１０２２と、水はね逆流防止カバー１０３０（以下「カバー１０３０」ともいう。）とを有する。雨どい１０１０は、その上端が建物１０４０の屋根１０５０に連結されて、屋根１０５０に降った雨水等の水１０６０を集水枡１０２０近傍まで案内する。雨どい１０１０は、建物１０４０の壁に沿って上下方向に延在し且つその下端が下方に開口する下側筒状部１０１１を有する。雨どい１０１０の下端は、蓋１０２２よりも上方に位置する。
【００１８】
集水枡１０２０は、雨どい１０１０の下方に位置し、雨どい１０１０から放出される雨水等の水１０６０を受ける構造物である。また、集水枡１０２０は、排水管１０２１と連結されることで、雨どい１０１０等から入り込む水１０６０の水位が上昇した場合に溢れる水を、排水管１０２１を介して地中などに放出する。本発明一実施形態において、集水枡１０２０は、下側に底面を有し、上側に開口部１０２３を有する略直方体状であり、図１に示すように、その底部よりも上方において排水管１０２１と連結される。そのため、雨どい１０１０から放出される雨水等の水１０６０は、一時的に集水枡１０２０に蓄積され、この蓄積された水１０６０の水位が排水管１０２１の高さに到達すると、水１０６０は、集水枡１０２０から排水管１０２１に向かって排出される。さらに、排水管１０２１が集水枡１０２０と連結する位置は、集水枡１０２０の底部よりも上方にあることから、集水枡１０２０に流れ込んだ泥やゴミは、集水枡１０２０に蓄積される。これにより、泥やゴミが排水管１０２１に流れ込んで排水管１０２１が閉塞することを抑制することができる。
【００１９】
集水枡１０２０の上部には、蓋１０２２が配置されて、集水枡１０２０の開口部１０２３を開閉可能に閉塞し、石や枯葉、その他ゴミ等が集水枡１０２０に入り込むのを防止する。また、人などがうっかり足を踏み入れて怪我をすることもない。本発明はこれに限定されるものではないが、一実施形態において、蓋１０２２は、縞鋼板、ます蓋、格子蓋等の各種の蓋を用いることができる。一実施形態の蓋１０２２には、雨どい１０１０からの雨水等の水１０６０を集水枡１０２０に到達させるための開口部１０２４（蓋開口部１０２４）が形成される。本発明はこれに限定されるものではないが、一実施形態において、蓋開口部１０２４は、雨どい１０１０の直下に配置される。また、この蓋開口部１０２４を介してカバー１０３０を上下動可能とするため、蓋開口部１０２４は、カバー１０３０の外形よりも大きい。より具体的には、本発明の一実施形態における蓋開口部１０２４の好適な大きさは、後述する筒状本体部３１３１や４１３１等の外形よりも大きく、脚部３１３５ａ、３１３５ｂや４１３５ａ〜４１３５ｃ等を含む外形よりもやや小さい。本発明の一実施形態において、水はね逆流防止カバー１０３０は、雨どい１０１０から集水枡１０２０に落ちる水１０６０の水はねを防止すると共に、集水枡１０２０から雨どい１０１０への水１０６０の逆流を防止するための水位との隙間を常に維持ないし確保している。
【００２０】
［水はね逆流防止カバー］
図２（Ａ）、図２（Ｂ）、図２（Ｃ）及び図２（Ｄ）は、本発明の一実施形態において、水排出機構２０００の集水枡２０２０内の水位に応じた水はね逆流防止カバー２０３０（以下「カバー２０３０」ともいう。）の第１〜第４状態を示す図である。図２（Ａ）等に示すように、カバー２０３０は、筒状本体部２０３１と、浮力部２０３２と、下方排水開口部空間２０３３とを有する。
【００２１】
筒状本体部２０３１は、蓋２０２２の開口部２０２４内に配置されると共に、雨どい２０１０の下側筒状部２０１１をその内部に収容可能な円筒状の部材である。換言すると、一実施形態において、筒状本体部２０３１の内径は、雨どい２０１０の下側筒状部２０１１の外径よりも大きい。図２（Ａ）に示すように、カバー２０３０は、集水枡２０２０に水２０６０がなくカバー２０３０の底部が集水枡２０２０の底部に接している場合であっても、筒状本体部２０３１の上縁が、雨どい２０１０の下側筒状部２０１１を依然として覆う程度の高さを有している。
【００２２】
浮力部２０３２は、筒状本体部２０３１の下方に配置される。また、浮力部２０３２は、カバー２０３０が水２０６０に浸水されたとき、依然として水２０６０の水位との間に隙間を確保する程度の浮力を筒状本体部２０３１に与える。一実施形態における浮力部２０３２は、２つの浮子２０３４ａ及び２０３４ｂを備える。浮子２０３４ａ及び２０３４ｂは、筒状本体部２０３１の下部から下方及び径方向外側に延在する脚部２０３５ａ及び２０３５ｂに支持される。図２（Ａ）等に示すように、脚部２０３５ａ及び２０３５ｂは、上側に向かって凸となるように湾曲している。或いは、脚部２０３５ａ及び２０３５ｂは、直線状又は下側に向かって凸となるように湾曲してもよい。本発明はこれに限定されるものではないが、一実施形態において、浮子２０３４及び脚部２０３５の各組合せは、筒状本体部２０３１の中心軸を中心として線対称となる位置に配置される。
【００２３】
下方排水開口部空間２０３３は、カバー２０３０を水２０６０に浸水させたとき、水面よりも上側に位置して形成される空間である。本発明の一実施形態において、下方排水開口部空間２０３３は、浮力部２０３２（浮子２０３４ａ及び２０３４ｂ）の浮力により、脚部２０３５の全部または一部及び浮子２０３４ａ、２０３４ｂの少なくとも一部が水面よりも上側に位置することで、筒状本体部２０３１の下縁と水面との間に形成される。図２（Ａ）〜図２（Ｄ）から明らかなように、集水枡２０２０内の水位が変化すると、カバー２０３０は、浮力部２０３２の作用により上下動する。この際、脚部２０３５の全部または一部及び浮子２０３４の少なくとも一部は水面よりも上側に位置し続けるため、下方排水開口部空間２０３３も確保される。そのため、上下方向におけるカバー２０３０の位置にかかわらず、筒状本体部２０３１内を通ってくる水を逆流させることなく外へ排出し続けることができる。
【００２４】
なお、図２（Ａ）では、高さ方向における雨どい２０１０の下縁と筒状本体部２０３１の上縁との重なり部分の長さはｈ１であり、筒状本体部２０３１の上縁の方が雨どい２０１０の下縁よりも上側に位置するように構成されている。図２（Ｂ）では、高さ方向における雨どい２０１０の下縁と筒状本体部２０３１の上縁との重なり部分の長さはｈ２（＞ｈ１）である。図２（Ｃ）では、高さ方向における雨どい２０１０の下縁と筒状本体部２０３１の上縁との重なり部分の長さはｈ３（＞ｈ２）である。図２（Ｄ）では、高さ方向における雨どい２０１０の下縁と筒状本体部２０３１の上縁との重なり部分の長さはｈ４（＞ｈ３）であり、浮子２０３４が蓋２０２２と接触しているため、重なり部分は最も大きくなる。一方で、上記重なり部分が最小でもｈ１が確保されているというのが本発明の一実施形態にかかる水排出機構または水はね逆流防止カバーの特徴である。
【００２５】
なお、ｈ１は、理論的には０ｃｍ以上であればよい。つまり、ｈ１＝０であるときは、集水枡に水がなく（無水状態）、水はね逆流防止カバーの底部が前記集水枡の底部に接している場合に、筒状本体部の上縁は、雨どいの下側筒状部の下端と一致する。さらに好適には、雨どい２０１０の下縁から漏れ出る水を防いだり、水はねを効果的に防止するだけのマージン（重なり長）があることが望ましい。
【００２６】
また、図２（Ｄ）では、急激な増水又は排水管２０２１の詰まりにより集水枡２０２０内の水位が蓋２０２２まで到達し、集水枡２０２０内の水２０６０は、外部に溢れ出している。このとき、図示されるように、浮子２０３４ａ及び２０３４ｂは、蓋２０２２に遮られて地表に露出することはない。しかし、そのような場合でも、下方排水開口部空間２０３３は確保されている。そのため、溢れ出た水２０６０は、筒状本体部２０３１内を逆流することなく、下方排水開口部空間２０３３から外へ放出されることとなる。
【００２７】
［一実施形態にかかる効果］
以上のような本発明の一実施形態によれば、集水枡２０２０に水２０６０がないときであっても、カバー２０３０の筒状本体部２０３１の上縁が雨どい２０１０の下側筒状部２０１１の少なくとも一部を覆う（図２（Ａ））。また、集水枡２０２０の水位が上がった場合でも、浮力部２０３２の作用により筒状本体部２０３１が上下動して雨どいをカバーし続ける（図２（Ｂ）〜図２（Ｄ））。そのため、集水枡２０２０における水位にかかわらず、逆流を防止しながら、雨どい２０１０から集水枡２０２０に落ちる水２０６０がはねて雨どい２０１０近傍の壁１０５１（図１）等に向かういわゆる水はねを防止することができる。
【００２８】
また、本発明の一実施形態によれば、浮力部２０３２の作用によりカバー２０３０の筒状本体部２０３１が上下動した場合でも、下方排水開口部空間２０３３により筒状本体部２０３１内の水２０６０を逆流させることなく外へ排出し続けることが可能である（図２（Ｂ）〜図２（Ｄ））。従って、集水枡２０２０の水位にかかわらず、集水枡２０２０から雨どい２０１０への水２０６０の逆流を防止することができる。
【００２９】
本発明の一実施形態において、水排出機構２０００は、筒状本体部２０３１の下部から下方に延在して浮力部２０３２（浮子２０３４ａ及び２０３４ｂ）を支持する脚部２０３５ａ及び２０３５ｂを備える（図２（Ａ）等）。また、下方排水開口部空間２０３３は、脚部２０３５と浮力部２０３２により形成される（図２（Ａ）等）。これにより、下方排水開口部空間２０３３を簡易な構成で形成可能となる。
【００３０】
本発明の一実施形態において、浮子２０３４ａ及び２０３４ｂを支持する脚部２０３５ａ及び２０３５ｂは、筒状本体部２０３１の下部から下方に延在する（図２（Ａ）等）。これにより、上下方向において、筒状本体部２０３１の下縁と浮子２０３４ａ及び２０３４ｂとの距離を確保し易くなり、下方排水開口部空間２０３３を形成し易くなる。
【００３１】
［変形例］
（第１変型例）
図３（Ａ）は、本発明の第１変形例に係る水はね逆流防止カバー３１３０（以下「カバー３１３０」ともいう。）の構造を概念的に説明する斜視概念図である。カバー３１３０は、筒状本体部３１３１と、浮力部３１３２と、下方排水開口部空間３１３３とを有する。浮力部３１３２は、浮子３１３４ａ及び３１３４ｂ（さらに、図示されない浮子があってもよい。以下、同様。）を備え、これらの浮子３１３４ａ及び３１３４ｂは、脚部３１３５ａ及び３１３５ｂを介して筒状本体部３１３１の下部に連結されている。上記実施形態のカバー２０３０（図２（Ａ）等）では、脚部２０３５が上側に向かって凸となるように湾曲していた。これに対し、第１変形例のカバー３１３０では、脚部３１３５が直線状である。本発明においては、これらに限らず、様々な脚部のデザインを採用可能である。
【００３２】
（第２変型例）
図３（Ｂ）は、本発明の第２変形例に係る水はね逆流防止カバー３２３０（以下「カバー３２３０」ともいう。）の構造を概念的に説明する斜視概念図である。カバー３２３０は、筒状本体部３２３１と、浮力部３２３２と、下方排水開口部空間３２３３とを有する。浮力部３２３２は、浮子３２３４ａ及び３２３４ｂを備え、これらの浮子３２３４ａ及び３２３４ｂは、筒状本体部３２３１の下部に形成された脚部３２３５ａ及び３２３５ｂに連結されている。上記実施形態のカバー２０３０（図２（Ａ）等）では、筒状本体部２０３１は、単純な円筒状であり、別部材としての脚部２０３５を有していた。これに対し、第２変形例のカバー３２３０では、筒状本体部３２３１は、円筒状であると共に、その下部に切欠き部３２３６が形成される。これにより、筒状本体部３２３１自体により脚部３２３５が形成される。上記実施形態（図２（Ａ）等）及び第１変形例（図３（Ａ））と比較して、部品点数を減らすことが可能となる。
【００３３】
（第３変型例）
図３（Ｃ）は、本発明の第３変形例に係る水はね逆流防止カバー３３３０（以下「カバー３３３０」ともいう。）の構造を概念的に説明する斜視概念図である。カバー３３３０は、筒状本体部３３３１と、浮力部３３３２と、下方排水開口部空間３３３３とを有する。浮力部３３３２は、浮子３３３４ａ及び３３３４ｂを備え、これらの浮子３３３４ａ及び３３３４ｂは、筒状本体部３３３１の下部に連結されている。上記実施形態のカバー２０３０（図２（Ａ）等）では、浮子２０３４は、脚部２０３５を介して筒状本体部２０３１に接続されていた。これに対し、第３変形例のカバー３３３０では、浮子３３３４ａ及び３３３４ｂは、筒状本体部３３３１に直接固定される。筒状本体部３３３１に対する浮子３３３４ａ及び３３３４ｂの固定は、例えば、鉤構造、接着剤、図示しないねじ等を用いて行うことができる。これにより、上記実施形態（図２（Ａ）等）及び第１変形例（図３（Ａ））と比較して、部品点数を減らすことが可能となる。
【００３４】
（第４変型例）
図４（Ａ）は、本発明の第４変形例に係る水はね逆流防止カバー４１３０（以下「カバー４１３０」ともいう。）の構造を概念的に説明する斜視概念図である。カバー４１３０は、筒状本体部４１３１と、浮力部４１３２と、下方排水開口部空間４１３３とを有する。浮力部４１３２は、３つの浮子４１３４ａ〜４１３４ｃを備え、これらの浮子４１３４ａ〜４１３４ｃは、脚部４１３５ａ〜４１３５ｃを介して筒状本体部４１３１の下部に連結されている。第１変形例のカバー３１３０（図３（Ａ））では、浮子３１３４及び脚部３１３５はそれぞれ２つ設けられていた。これに対し、第４変形例のカバー４１３０では、浮子４１３４及び脚部４１３５はそれぞれ３つ設けられる。これにより、浮子４１３４が集水枡（例えば図１の集水枡１０２０）の底部と接したときに、カバー４１３０の姿勢を安定させることができる。なお、浮子４１３４及び脚部４１３５の数は、３つに限定されず、たとえば１つあるいは４つ以上としてもよい。
【００３５】
（第５変型例）
図４（Ｂ）は、本発明の第５変形例に係る水はね逆流防止カバー４２３０（以下「カバー４２３０」ともいう。）の構造を概念的に説明する斜視概念図である。カバー４２３０は、筒状本体部４２３１と、浮力部４２３２と、下方排水開口部空間４２３３とを有する。浮力部４２３２は、１つのリング状浮子４２３４を備え、この浮子４２３４は、複数の脚部４２３５ａ及び４２３５ｂを介して筒状本体部４２３１の下部に連結されている。上記実施形態（図２（Ａ）等）では、浮子２０３４が複数設けられていた。第１〜第４変形例のカバー３１３０、３２３０、３３３０、４１３０（図３（Ａ）〜図３（Ｃ）、図４（Ａ））も同様である。これに対し、第５変形例のカバー４２３０では、１つのリング状の浮子４２３４を複数の脚部４２３５ａ及び４２３５ｂで筒状本体部４２３１に連結する。これにより、浮子４２３４の数を減らしつつ、浮子４２３４が集水枡（図１の１２０等）の底部と接したときに、カバー４２３０の姿勢を安定させることができる。なお、浮子４２３４を支持する脚部４２３５の数は、１つ又は３つ以上としてもよい。
【００３６】
（第６変型例）
図４（Ｃ）は、本発明の第６変形例に係る水はね逆流防止カバー４３３０（以下「カバー４３３０」ともいう。）の構造を概念的に説明する斜視概念図である。カバー４３３０は、筒状本体部４３３１と、浮力部４３３２と、下方排水開口部空間４３３３とを有する。上記実施形態（図２（Ａ）等）では、筒状本体部２０３１とは別部材の浮子２０３４（及び脚部２０３５）を設けた。第１〜第５変形例のカバー３１３０、３２３０、３３３０、４１３０、４２３０（図３（Ａ）〜図３（Ｃ）、図４（Ａ）、図４（Ｂ））も同様である。これに対し、第６変形例のカバー４３３０では、比重が小さい素材（あるいは、比重が１以上であっても内部に気泡等が形成される等により、素材トータルとして浮力が備わっておればよい）でカバー４３３０を構成することにより、筒状本体部４３３１自体に浮力部４３３２の機能が備わる（その意味では、筒状本体部４３３１が全体として浮力部となる）。また、筒状本体部４３３１の下方に切欠き部４３３６を設けることで下方排水開口部空間４３３３を形成する。これにより、水はね防止及び逆流防止の機能を確保しつつ、カバー４３３０の部品点数を減らすことができる。なお、切欠き部４３３６の形状は、図４（Ｃ）に示すもの以外に、複数の穴あき状のものや格子状のものなどであってもよい。
【００３７】
また、カバー４３３０あるいは筒状本体部４３３１は、その全体の比重が水よりも小さくなるように構成される必要はなく、カバー４３３０あるいは筒状本体部４３３１の少なくとも一部の比重が水よりも小さくなるように構成されればよい。
【００３８】
（第７変型例）
図５Ａは、本発明の第７変形例に係る水はね逆流防止カバー５１３０（以下「カバー５１３０」ともいう。）の筒状本体部５１３１の構造を概念的に説明する斜視概念図である。カバー５１３０は、筒状本体部５１３１と、（図５Ｂに示す）浮力部５１３２と、（図５Ｂに示す）下方排水開口部空間５１３３とを有する。図５Ｂ（ｂ）及び図５Ｂ（ｃ）に示されるように、カバー５１３０は、浮子５１３４ａ及び５１３４ｂ及び脚部５１３５ａ及び５１３５ｂを有するが、図５Ａでは図示を省略している。上記実施形態（図２（Ａ）等）では、筒状本体部２０３１は単一部材で構成されていた。第１〜第６変形例の筒状本体部３１３１、３２３１、３３３１、４１３１、４２３１、４３３１（図３（Ａ）〜図３（Ｃ）、図４（Ａ）〜図４（Ｃ））も同様である。これに対し、第７変形例のカバー５１３０では、筒状本体部５１３１は、上部材５１３７及び下部材５１３８を有する。上部材５１３７と下部材５１３８は、所定の連結方法（例えば、継ぎ構造、ねじ構造、接着剤等）により連結あるいは着脱可能である。これにより、以下に詳述するように、カバー５１３０の設置を容易化することができる。また、上部材５１３７及び下部材５１３８の素材は、同一であっても、相違してもよい。
【００３９】
図５Ｂ（ａ）、図５Ｂ（ｂ）及び図５Ｂ（ｃ）は、第７変形例に係る水はね逆流防止カバー５１３０を組み立てる際の第１状態、第２状態及び第３状態を示す。図５Ｂ（ａ）の状態では、雨どい５０１０、集水枡５０２０及び排水管５０２１の設置は既に完了しているものとする。ここで、カバー５１３０を組み立てる際、作業者は、筒状本体部５１３１の上部材５１３７の内部に雨どい５０１０が入るように、上部材５１３７を上方に向かって移動させる（図５Ｂ（ａ））。換言すると、作業者は、上部材５１３７が雨どい５０１０に被さるように上部材５１３７を上側に向かって移動させる。
このとき、蓋５０２２は閉じていない状態であってもよい。
【００４０】
次いで、作業者は、筒状本体部５１３１の下部材５１３８を、蓋開口部５０２４内に通過させ、そのままの状態で蓋５０２２を閉める（図５Ｂ（ｂ））。この際、作業者は、蓋５０２２を閉める作業の邪魔にならないように上部材５１３７を上方位置で仮止めなどして保持させ、また、下部材５１３８の上側を把持しておくなどする。次いで、作業者は、雨どい５０１０を内部に通した状態の上部材５１３７と、蓋開口部５０２４に通した状態の下部材５１１８を連結させ、カバー５１３０を下方に移動させて集水枡５０２０の底部に接触させた後、カバー５１３０から手を離す（図５Ｂ（ｃ））。なお、上部材５１３７を雨どい５０１０に被せる前に、下部材５１１８を蓋開口部５０２４に通しておいてもよい。
【００４１】
（その他のバリエーション）
上記実施形態では、筒状本体部２０３１は円筒状であった（図２（Ａ）等）。しかしながら、本発明はこれに限定されることはなく、筒状本体部２０３１は、その他の筒状（角筒状、角柱状、円錐台状、角錐台状）であってもよい。
【００４２】
本明細書（特許請求の範囲、要約、及び図面を含む）に記載された構成要件の全て及び／又は開示された全ての方法又は処理の全てのステップについては、これらの特徴が相互に排他的である組合せを除き、任意の組合せで組み合わせることができる。
【００４３】
また、本明細書（特許請求の範囲、要約、及び図面を含む）に記載された特徴の各々は、明示的に否定されない限り、同一の目的、同等の目的、または類似する目的のために働く代替の特徴に置換することができる。従って、明示的に否定されない限り、開示された特徴の各々は、包括的な一連の同一又は均等となる特徴の一例にすぎない。
【００４４】
さらに、本発明は、上述した実施形態のいずれの具体的構成にも制限されるものではない。本発明は、本明細書（特許請求の範囲、要約、及び図面を含む）に記載された全ての新規な特徴又はそれらの組合せ、あるいは記載された全ての新規な方法又は処理のステップ、又はそれらの組合せに拡張することができる。
【符号の説明】
【００４５】
１０００、２０００  水排出機構
１０１０、２０１０、５０１０  雨どい
１０１１、２０１１  雨どいの下側筒状部
１０２０、２０２０、５０２０  集水枡
１０２１、２０２１、５０２１  排水管
１０２２、２０２２、５０２２  蓋
１０２３  集水枡の開口部
１０２４、２０２４、５０２４  蓋の開口部
１０３０、２０３０、３１３０、３２３０、３３３０、４１３０、４２３０、４３３０、５１３０  水はね逆流防止カバー
１０４０  建物
１０５０  屋根
１０５１  壁
１０６０、２０６０  水
２０３１、３１３１、３２３１、３３３１、４１３１、４２３１、４３３１、５１３１  筒状本体部
２０３２、３１３２、３２３２、３３３２、４１３２、４２３２、４３３２、５１３２  浮力部
２０３３、３１３３、３２３３、３３３３、４１３３、４２３３、４３３３、５１３３  下方排水開口部空間
２０３４ａ、２０３４ｂ、３１３４ａ、３１３４ｂ、３２３４ａ、３２３４ｂ、３３３４ａ、３３３４ｂ、４１３４ａ〜４１３４ｃ、４２３４、５１３４ａ、５１３４ｂ  浮子
２０３５ａ、２０３５ｂ、３１３５ａ、３１３５ｂ、３２３５ａ、３２３５ｂ、４１３５ａ〜４１３５ｃ、４２３５ａ、４２３５ｂ、５１３５ａ、５１３５ｂ  脚部
３２３６  ４３３６  切欠き部
【要約】
【課題】周囲への水はねを防止しつつ雨どい等への水の逆流を防止することができる水排出機構及び水はね逆流防止カバーを提供する。
【解決手段】水排出機構の水はね逆流防止カバーは、雨どいの下側筒状部を内部に収容可能である筒状本体部と、前記筒状本体部の下方に配置され、前記水はね逆流防止カバーを水に入れたとき、前記筒状本体部に浮力を付与する浮力部と、前記水はね逆流防止カバーを水に入れたとき、水面よりも上側に位置する下方排水開口部空間とを備える。
【選択図】  図１【図１】
0006768169.tif 000002
【図２】
0006768169.tif 000003
【図３】
0006768169.tif 000004
【図４】
0006768169.tif 000005
【図５Ａ】
0006768169.tif 000006
【図５Ｂ】
0006768169.tif 000007
【図６】
0006768169.tif 000008